(57)【要約】      （修正有）【課題】ヘアーアイロンを手軽に収納することを可能とする袋体の提供。【解決手段】基端側が相互に回転自在に結合され中間部の把持部の把持操作で先端側が復元力に抗した挟持動作を行う挟持アームと、前記挟持アームの先端側に対向配置され前記挟持動作で毛髪を加温しながら挟持矯正するための矯正体と、前記狭持アームの基端側から延出するコードとを備えたヘアーアイロンを収納するための袋体１であって、袋体１は、狭持アームに応じて細長く形成され、且つ開口部２１に開閉自在な蓋部２３を備えた本体部１７と本体部１７の背面に設けられた一端開口のコード収納部１９とからなり、本体部１７に狭持アームを収納したとき狭持アームがその復元力により本体部１７を押し広げるようにして保持され、蓋部２３を閉じた状態で蓋部２３及び開口部２１間からコードが本体部１７外へ引き出され、コードがコード収納部１９に収容されることを特徴とする。【選択図】図１
0003114337.tif 000002
【実用新案登録請求の範囲】
【請求項１】
基端側が相互に回転自在に結合され中間部の把持部の把持操作で先端側が復元力に抗した挟持動作を行う挟持アームと、前記挟持アームの先端側に対向配置され前記挟持動作で毛髪を加温しながら挟持矯正するための矯正体と、前記狭持アームの基端側から延出するコードとを備えたヘアーアイロンを収納するための袋体であって、
前記袋体は、前記狭持アームに応じて細長く形成され、且つ開口部に開閉自在な蓋部を備えた本体部と前記本体部の背面に設けられた一端開口のコード収納部とからなり、
前記本体部に前記狭持アームを収納したとき該狭持アームがその復元力により本体部を押し広げるようにして保持され、前記蓋部を閉じた状態で該蓋部及び開口部間から前記コードが本体部外へ引き出され、該コードが前記コード収納部に収容される
ことを特徴とするヘアーアイロンを収納するための袋体。
【請求項２】
請求項１記載のヘアーアイロンを収納するための袋体であって、
前記本体部は、内部表面が耐熱性材又は断熱性材で被覆された
ことを特徴とするヘアーアイロンを収納するための袋体。
【請求項３】
請求項１又は２記載のヘアーアイロンを収納するための袋体であって、
前記本体部の背面に、前記コード収納部に収容されたコードを保持するための把持部を設けた
ことを特徴とするヘアーアイロンを収納するための袋体。
【考案の詳細な説明】
【技術分野】
【０００１】
本考案は、毛髪をカールする際等に用いられるヘアーアイロンを収納するための袋体に関する。
【背景技術】
【０００２】
一般にヘアーアイロンは、矯正体の挟持動作で毛髪を加温しながら挟持矯正するため、使用直後は温度が高くなっており、そのまま放置することは避けるべきである。
【０００３】
また、ヘアーアイロンは、電気供給のためのコードを備えており、そのまま放置すると、コードの根本が固定されず、繰り返し捻られるなどして断線を招き、耐久性を損なう恐れがあった。
【０００４】
収納状態でも、コードにまとまりが無、雑然とするものであった。
【０００５】
しかし、従来のヘアーアイロンは、これを手軽に収納するためのものが無かったのが実状である。
【０００６】
特開２００１−１０４０３６
【考案の開示】
【考案が解決しようとする課題】
【０００７】
解決しようとする問題点は、温度の高くなったヘアーアイロンを手軽に収納するものが無かった点である。
【課題を解決するための手段】
【０００８】
本考案は、ヘアーアイロンを手軽に収納するために、袋体は、狭持アームに応じて細長く形成され、且つ開口部に開閉自在な蓋部を備えた本体部と本体部の背面に設けられた一端開口のコード収納部とからなり、本体部に狭持アームを収納したとき狭持アームがその復元力により本体部を押し広げるようにして保持され、蓋部を閉じた状態で蓋部及び開口部間からコードが引き出され、コードがコード収納部に収容されることを最も主要な特徴とする。
【考案の効果】
【０００９】
本考案のヘアーアイロンを収納するための袋体は、袋体は、狭持アームに応じて細長く形成され、且つ開口部に開閉自在な蓋部を備えた本体部と本体部の背面に設けられた一端開口のコード収納部とからなり、本体部に狭持アームを収納したとき狭持アームがその復元力により本体部を押し広げるようにして保持され、蓋部を閉じた状態で蓋部及び開口部間からコードが引き出され、コードがコード収納部に収容されるため、使用後のヘアーアイロンを無理なく収容することができる。
【考案を実施するための最良の形態】
【００１０】
本考案のヘアーアイロンを収納するための袋体は、本体部とコード収納部とを設けることによって実現した。
【実施例１】
【００１１】
図１〜図４は、本考案の実施例１に係るヘアーアイロンを収納するための袋体を示し、図１はスケルトン断面図、図２は側面図、図３は斜視図、図４はヘアーアイロンと共に示す袋体の平面図である。図１〜図４のように、袋体１は、ヘアーアイロン３を収納するためのものである。
【００１２】
前記ヘアーアイロン３は、挟持アーム５と矯正体７とコード９からなっている。狭持アーム５は、基端側１１が相互に回転自在に結合され中間部の把持部１３の把持操作で先端側１５が復元力に抗した挟持動作を行う。復元力は、例えば基端側に内装されたバネによる弾性を利用した復元力である。矯正体７は、ヒータなどを内装しており、前記挟持アーム５の先端側１５に対向配置され前記挟持動作で毛髪を加温しながら挟持矯正するためのものである。コード９は、矯正体７に内装されたヒータに電気供給するためのものであり、狭持アーム５の基端側１１から延出し、端部にコネクタ１２、中間部にスイッチ及び温度制御部１４を備えている。
【００１３】
前記袋体１は、本体部１７及びコード収納部１９とからなっている。
【００１４】
前記本体部３は、狭持アーム５に応じて細長く、且つ所定幅で立体的に形成され、開口部２１に開閉自在な蓋部２３を一体に備えている。本体部３は、外皮がナイロンその他、適宜の材質で形成され、内部表面が蓋部２３に至って全体的に耐熱性材（又は断熱性材）２５で被覆されている。本体部１７の正面側及び蓋部２３には、両者間を着脱可能に掛け止める面状の雄雌の係合テープ２７，２９が取り付けられている。
【００１５】
前記コード収納部１９は、本体部１７の背面に設けられ、一端開口形状となり、開口部３１を備えている。本体部１７の背面には、前記コード収納部１９に収容されたコード９を保持するための把持部３３が設けられている。把持部３３は、本体部１７の外皮と同材質で形成することもでき、ゴム又はゴムと繊維との合成等により延び縮可能に形成することもできる。
【００１６】
前記ヘアーアイロン３は、使用後、矯正体７及びその周辺の温度が高くなっている。収納時、このヘアーアイロン３は、図４のようにコード９をバンド３５により結束し、挟持アーム５の先端側１５から本体部１７の開口部２１内に差し込む。
【００１７】
ヘアーアイロン３が、本体部１７内に差し込み完了すると、図５の状態となる。本体部１７に狭持アーム５を収納したとき狭持アーム５がバネの弾性力を利用した復元力により本体部１７を押し広げるようにして保持される。従って、ヘアーアイロン３が本体部１７から容易に脱落することはない。また、本体内１７内部に空間が確実に形成され、矯正体７等からの放熱を促進することができる。
【００１８】
この状態で蓋部２３を折返し、蓋部２３の係合テープ２７を本体部１７の係合テープ２９に係止させ図６の状態とする。
【００１９】
図６の状態では、蓋部２３が閉じられた状態で該蓋部２３及び開口部２１間から前記コード９が本体部１７外へ引き出される。このとき、狭持アーム５の基端側１１に一体に設けられた筒部３６から突出してコード９の根本を保護するカバーチューブ３７が、蓋部２３及び開口部２１間に位置し且つ外部へ突出することになり、コード９を収納状態で安定させることができる。従って、収納状態でコード９の遊動を規制することができる。このため、収納状態でコード９が挟持アーム５基端側１１で繰り返し捻られるようなことが無く、断線を抑制し、耐久性を向上することができる。
【００２０】
前記コード９は、図７のようにコード収納部１９の開口部３１からまとめて差し込まれ、図８のようにコード収納部１９から出ている部分を把持部３３に保持させる。
【００２１】
従って、ヘアーアイロン３は、図８のようにコンパクトに収納することができ、狭持アーム５のバネの弾性力を利用した復元力による本体部１７を押し広げるような保持、前記カバーチューブ３７によるコード９の安定化、コード収納部１９によるコード９の収納、及び把持部３３によるコード９の把持が協働作用してヘアーアイロン３が袋体１にほぼ一体化するように収納することができる。従って、持ち運びなどにも極めて便利である。
【００２２】
また、使用直後のヘアーアイロン３であっても、収納状態において耐熱性材（又は断熱性材）２５で覆われるため、安全に収納することができる。
【図面の簡単な説明】
【００２３】
【図１】袋体のスケルトン断面図である（実施例１）。
【図２】袋体の側面図である（実施例１）。
【図３】袋体の斜視図である（実施例１）。
【図４】ヘアーアイロンと共に示す袋体の平面図である（実施例１）。
【図５】作用説明図である（実施例１）。
【図６】作用説明図である（実施例１）。
【図７】作用説明図である（実施例１）。
【図８】作用説明図である（実施例１）。
【符号の説明】
【００２４】
１  袋体
３  ヘアーアイロン
５  挟持アーム
７  矯正体
９  コード
１１  基端側
１３  把持部
１５  先端側
１７  本体部
１９  コード収納部
２１  開口部
２３  蓋部
２５  耐熱性材（又は断熱性材）
３３  把持部
【図１】
0003114337.tif 000003
【図２】
0003114337.tif 000004
【図３】
0003114337.tif 000005
【図４】
0003114337.tif 000006
【図５】
0003114337.tif 000007
【図６】
0003114337.tif 000008
【図７】
0003114337.tif 000009
【図８】
0003114337.tif 000010